(57)【要約】【課題】ショートカットを利用して画像処理を実行する際の利便性の低下を抑制することができる画像処理装置および画像処理方法を提供すること。【解決手段】ショートカット情報３５１に含まれる複数の設定項目から、特定の設定項目として「出力サイズ」を抽出し（Ｓ５）、「出力サイズ」のシートがあるか否かを判断する（Ｓ７）。「出力サイズ」のシートがない場合には、「出力サイズ」のサイズを変更してショートカットを実行させるための変更ＵＩ画面Ｄ４を表示する。【選択図】図３
2018034394.tif 000002
【特許請求の範囲】
【請求項１】
筐体と、
前記筐体に設けられたタッチパネルと、
前記筐体の内部に設けられた画像処理部と、
制御部と、
メモリと、を備え、
前記制御部は、
前記タッチパネルから受け付ける命令に応じて、前記画像処理部の制御に関わる複数の設定項目にそれぞれ対応させて、前記画像処理部の制御に用いられる情報を前記メモリに記憶させる処理と、
ショートカットを前記タッチパネルに表示する処理と、
前記タッチパネルに表示される前記ショートカットに設定されている前記複数の設定項目のうち、特定の設定項目を抽出する抽出処理と、
前記ショートカットの表示中に前記ショートカットの選択を示す信号を検出したとき、抽出した前記特定の設定項目に対応させて前記メモリに記憶させている前記情報と異なる前記情報である変更情報を用いるか否かを、選択するように促す画面を前記タッチパネルに表示する処理と、
前記画面の表示中に前記タッチパネルからの命令が前記変更情報を用いる命令であるとき、前記変更情報と、前記特定の設定項目以外の前記設定項目に対応させて前記メモリに記憶させている前記情報とを用いて、前記画像処理部を制御する制御処理と、を実行することを特徴とする画像処理装置。
【請求項２】
検出器を備え、
前記制御部は、前記抽出処理において、
前記画像処理部が画像処理に使用する資源の特徴に応じて前記検出器が出力する信号に基づいて、前記資源に関わる設定項目に対応させて前記メモリに記憶させている前記情報が前記資源の特徴に対応していない場合に、当該設定項目を前記特定の設定項目とすることを特徴とする請求項１に記載の画像処理装置。
【請求項３】
原稿支持部を備え、
前記検出部は、前記原稿支持部が支持する原稿のサイズに応じた信号を出力し、
前記制御部は、前記抽出処理において、
前記原稿のサイズに関わる設定項目に対応させて前記メモリに記憶させている前記情報が、前記原稿のサイズに対応していない場合に、当該設定項目を前記特定の設定項目とすることを特徴とする請求項２に記載の画像処理装置。
【請求項４】
検出器を備え、
前記制御部は、前記抽出処理において、
前記画像処理部が画像処理に使用する資源の状態に応じて前記検出器が出力する信号に基づいて、前記資源の状態では、前記資源に関わる設定項目に対応させて前記メモリに記憶させている前記情報での前記画像処理の実行が制限されると判断した場合に、当該設定項目を前記特定の設定項目とすることを特徴とする請求項１に記載の画像処理装置。
【請求項５】
シート支持部を備え、
前記検出部は、前記シート支持部に支持されたシートの残枚数に応じた信号を出力し、
前記制御部は、前記抽出処理において、
前記シートの残枚数では、前記画像処理の実行が制限されると判断した場合に、当該シートのサイズが、対応する前記情報として前記メモリに記憶されている前記設定項目を前記特定の設定項目とすることを特徴とする請求項４に記載の画像処理装置。
【請求項６】
前記メモリは前記特定の設定項目を記憶し、
前記制御部は、
前記抽出処理において抽出する前記特定の設定項目を、前記メモリが記憶している前記特定の設定項目とすることを特徴とする請求項１に記載の画像処理装置。
【請求項７】
前記制御部は、
前記複数の設定項目の何れかを前記特定の設定項目として受け付ける設定受付処理と、
前記設定受付処理にて受け付けた前記特定の設定項目を前記メモリに記憶させる記憶処理と、を実行することを特徴とする請求項６に記載の画像処置装置。
【請求項８】
前記制御部は、前記抽出処理を実行後、
前記特定の設定項目が設定されている前記ショートカットを、前記特定の設定項目が設定されていない前記ショートカットとは異なる表示態様で前記タッチパネルに表示させることを特徴とする請求項１乃至請求項７の何れかに記載の画像処理装置。
【請求項９】
前記制御部は、
前記制御処理を所定回数以上実行した前記特定の設定項目が設定されている前記ショートカットについて、当該特定の設定項目に対応させて前記メモリに記憶させている前記情報を、前記変更情報に更新する更新処理を実行することを特徴とする請求項１乃至請求項８の何れかに記載の画像処理装置。
【請求項１０】
前記制御部は、
前記ショートカットをショートカット名とともに登録するショートカット登録処理を実行し、
前記更新処理において、更新する前記ショートカットの前記ショートカット名を変更することを特徴とする請求項９に記載の画像処理装置。
【請求項１１】
筐体と、前記筐体に設けられたタッチパネルと、前記筐体の内部に設けられた画像処理部と、メモリと、を備える画像処理装置における画像処理方法であって、
前記タッチパネルから受け付ける命令に応じて、前記画像処理部の制御に関わる複数の設定項目にそれぞれ対応させて、前記画像処理部の制御に用いられる情報を前記メモリに記憶させるステップと、
ショートカットを前記タッチパネルに表示するステップと、
前記タッチパネルに表示される前記ショートカットに設定されている前記複数の設定項目のうち、特定の設定項目を抽出する抽出ステップと、
前記ショートカットの表示中に前記ショートカットの選択を示す信号を検出したとき、抽出した前記特定の設定項目に対応させて前記メモリに記憶させている前記情報と異なる前記情報である変更情報を用いるか否かを、選択するように促す画面を前記タッチパネルに表示するステップと、
前記画面の表示中に前記タッチパネルからの命令が前記変更情報を用いる命令であるとき、前記変更情報と、前記特定の設定項目以外の前記設定項目に対応させて前記メモリに記憶させている前記情報とを用いて、前記画像処理部を制御する制御ステップと、を有することを特徴とする画像処理方法。
【発明の詳細な説明】
【技術分野】
【０００１】
本発明は、画像処理装置および画像処理方法に関するものである。
【背景技術】
【０００２】
従来より、予め登録されている画像処理に関する設定値を、ショートカットで呼び出すことができる機能を備えた画像処理装置がある。特許文献１には、例えば画像形成用の用紙サイズなどの画像形成条件（設定値）に従って画像を形成できるか否かを判断し、画像を形成できる場合には、表示部に表示される、当該画像形成条件に対応するキー部（ショートカット）をユーザが視認しやすい第１濃度で表示し、画像を形成できない場合には、当該画像形成条件に対応するキー部を第１濃度より薄い濃度で表示する画像形成装置が記載されている。これによれば、所望のサイズの用紙が不足している場合には、対応するキー部を用いた画像形成が実行できないことをユーザは把握することができる。
【先行技術文献】
【特許文献】
【０００３】
【特許文献１】特開２００３−１５０００９号公報
【発明の概要】
【発明が解決しようとする課題】
【０００４】
ところで、ショートカットが選択されることによって値を呼び出される画像処理に関する項目は、用紙サイズの他にも、例えば画像処理による出力物の色、画質、倍率など複数ある。ここで例えば上記したように、ショートカットの選択によって呼び出される値に対応するサイズの用紙が不足していると、画像処理を実行できない。ユーザは、不足しているサイズの用紙を補充することによって当該ショートカットを用いた画像処理を実行できるようにすることができる。しかしながら、ユーザは、不足しているサイズの用紙を補充するのではなく、画像処理装置が他のサイズの用紙を利用できる状態にあるのであれば、用紙サイズ以外の項目に関しては当該ショートカットに対応付けられている値で画像形成を実行させ、このときの画像形成に用いる用紙のみ、利用できるサイズに変更したい場合もある。この場合に、用紙サイズの項目のみが、当該ショートカットに対応付けられているサイズと異なる、画像処理装置で利用できる他のサイズを設定されており、且つ、用紙サイズの項目以外の項目に設定されている値は当該ショートカットに対応付けられて設定されている値と同じであるショートカットが別に登録されていれば、当該別のショートカットを選択して画像処理を実行することができるが、当該別のショートカットが登録されていない場合には、用紙サイズを含めた複数の項目に関して設定を行ってから画像処理を実行したりする必要があり、ユーザが煩わしく感じるおそれがある。
【０００５】
本願は、上記の課題に鑑み提案されたものであって、ショートカットを利用して画像処理を実行する際の利便性の低下を抑制することができる画像処理装置および画像処理方法を提供することを目的とする。
【課題を解決するための手段】
【０００６】
本願に係る画像処理装置は、筐体と、筐体に設けられたタッチパネルと、筐体の内部に設けられた画像処理部と、制御部と、メモリと、を備え、制御部は、タッチパネルから受け付ける命令に応じて、画像処理部の制御に関わる複数の設定項目にそれぞれ対応させて、画像処理部の制御に用いられる情報をメモリに記憶させる処理と、ショートカットをタッチパネルに表示する処理と、タッチパネルに表示されるショートカットに設定されている複数の設定項目のうち、特定の設定項目を抽出する抽出処理と、ショートカットの表示中にショートカットの選択を示す信号を検出したとき、抽出した特定の設定項目に対応させてメモリに記憶させている情報と異なる情報である変更情報を用いるか否かを、選択するように促す画面をタッチパネルに表示する処理と、画面の表示中にタッチパネルからの命令が変更情報を用いる命令であるとき、変更情報と、特定の設定項目以外の設定項目に対応させてメモリに記憶させている情報とを用いて、画像処理部を制御する制御処理と、を実行することを特徴とする。
【０００７】
このようにすると、ユーザはショートカットに設定されている複数の設定値のうちの特定の設定項目に関して、特定の設定項目に対応させてメモリに記憶させている情報とは異なる情報を用いて簡易に機能を実行させることができる。
【発明の効果】
【０００８】
本願によれば、ショートカットを利用して画像処理を実行する際の利便性の低下を抑制することができる画像処理装置および画像処理方法を提供することができる。
【図面の簡単な説明】
【０００９】
【図１】ＭＦＰの外観を示す斜視図である。
【図２】ＭＦＰの電気的構成を示すブロック図である。
【図３】第１実施形態に係るショートカット生成処理の処理内容を示すフローチャートである。
【図４】第１実施形態に係るショートカット実行処理の処理内容を示すフローチャートである。
【図５】第１実施形態に係るタッチパネルの表示画面の遷移を説明する図である。
【図６】第１実施形態に係るショートカット更新処理の処理内容を示すフローチャートである。
【図７】第１実施形態のショートカット更新処理に係るタッチパネルの表示画面の遷移を説明する図である。
【図８】第２実施形態に係るショートカット生成実行処理の処理内容を示すフローチャートである。
【発明を実施するための形態】
【００１０】
［第１実施形態］
＜ＭＦＰの構成＞
以下、本願の一実施形態について図面を参照しつつ説明する。ＭＦＰ（Multi FunctionPeripheral）１０は、印刷機能、コピー機能、スキャナ機能、ＦＡＸ送信機能、ＦＡＸ受信機能を備える複合機である。以下の説明において、方向は、ＭＦＰ１０を使用するユーザを基準にした方向で説明する。即ち、図１で右手前側を「前」、左奥側を「後」とし、斜め右側を「右」、斜め左側を「左」とし、上側を「上」、下側を「下」とする。図１に示す様に、ＭＦＰ１０は、筐体１１、原稿台カバー２１、ＡＤＦ（Auto Document Feeder）２３、給紙トレイ１７，１８、排紙トレイ１９、操作パネル１２、およびＵＳＢレセプタクル４３などを備えている。筐体１１は略箱型であり、上部に原稿台（不図示）を覆う原稿台カバー２１が設置されている。原稿台カバー２１は後方に不図示の回動軸を有し、上方に回動することができる。ＭＦＰ１０は原稿台の下側にイメージセンサ（不図示）を備えており、原稿台が支持する原稿に対して、イメージスキャナを相対的に移動させて、原稿を読み取る。
【００１１】
原稿台カバー２１の左側上面に、ＡＤＦ２３が設置されている。ＡＤＦ２３は、ＡＤＦカバー２３ａおよびイメージスキャナ（不図示）などを有している。ＡＤＦカバー２３ａは、右端部に不図示の回動軸を有し、上方に回動することができる。ＡＤＦカバー２３ａは、図１に示す閉位置と、上方に回動し、回転軸から上方に向かってやや傾斜する開位置とに位置することができる。開位置のＡＤＦカバー２３ａは、上面で原稿を支持する。ＡＤＦ２３は、開位置のＡＤＦカバー２３ａが支持する原稿を、開口部（不図示）から取り込み、イメージスキャナに対して原稿を相対的に移動させて、原稿を読み取り、原稿を原稿台カバー２１の上面に排出する。
【００１２】
操作パネル１２はタッチパネル４１、電源ボタン（不図示）、およびテンキー（不図示）などの操作ボタンなどを有している。操作パネル１２およびＵＳＢレセプタクル４３は筐体１１の上面の前側に設置されている。ＵＳＢレセプタクル４３はＵＳＢ規格のレセプタクルである。
【００１３】
給紙トレイ１７，１８は、筐体１１前面の下側に上下に並んで脱着可能に設置されている。排紙トレイ１９は、筐体１１の前面に対し、内部へ凹んで設置されている。また、筐体１１の内部に、給送部（不図示）、画像形成部３７（図２）、排出部（不図示）が設置されている。給紙トレイ１７または給紙トレイ１８に支持されているシートは、給送部により画像形成部３７に搬送される。画像形成部３７はシートに画像を形成する。排出部は、画像形成したシートを排紙トレイ１９へ排出する。尚、給紙トレイ１７にはＡ４サイズのシートがあるものとし、給紙トレイ１７にはＢ５サイズのシートがあるものとする。
【００１４】
＜ＭＦＰの電気的構成＞
次に、図２を用いて、ＭＦＰ１０の電気的構成について説明する。ＭＦＰ１０は、図１に示した構成の他に、ＣＰＵ３２、ＲＡＭ３３、ＲＯＭ３４、ＮＶＲＡＭ（不揮発性メモリ）３５、画像形成部３７、画像読取部３８、ＦＡＸ通信部３９、ユーザインターフェース４０、ＵＳＢインターフェース４２、ネットワークインターフェース４４、原稿センサ、第１シートセンサ、第２シートセンサなどを備えている。尚、図２では、原稿センサ、第１シートセンサ、第２シートセンサを総称してセンサ５０と記載している。ＲＯＭ３４は、後述するショートカット生成処理およびショートカット実行処理などの処理を実行するためのプログラムを記憶しており、ＣＰＵ３２は、ＲＯＭ３４から読み出したプログラムに従って、その処理結果をＲＡＭ３３に記憶させながらバス３１で接続されている各部の制御を行う。ＮＶＲＡＭ３５にはショートカット情報３５１（後述）、トレイ情報３５２、および変更回数カウンタ値３５３が記憶されている。トレイ情報３５２には、給紙トレイ１７にあるシートのサイズがＡ４サイズであり、給紙トレイ１８にあるシートのサイズがＢ５サイズであるとの情報が含まれている。変更回数カウンタ値３５３は、後述するショートカット更新処理にて使用される値である。
【００１５】
画像形成部３７は、例えば印刷ジョブに従って、電子写真方式によりシートにカラーまたはモノクロの画像を印刷する。画像形成部３７は、不図示の、ブラック、シアン、マゼンタ、イエローの４色に対応する４つのプロセスカートリッジ、露光部、転写ローラ、定着部等を有している。プロセスカートリッジの各々は、不図示の、感光体ドラム、現像ローラ、トナー収容室などを有している。露光部は感光体ドラムの表面に静電潜像を形成する。現像ローラは、静電潜像にトナーを供給し、トナー像を形成する。転写ローラは、トナー像をシートに転写する。定着部はトナーをシートに熱定着させる。
【００１６】
画像読取部３８は、原稿台下のイメージスキャナもしくはＡＤＦ２３が有するイメージスキャナにより、原稿の画像を読み取って読取データを生成する。
【００１７】
ＦＡＸ通信部３９は、接続している不図示の電話回線を介して、他のＦＡＸ通信機器との間でＦＡＸデータの送受を行う。ユーザインターフェース４０は、各種の設定画面や装置の動作状態等をタッチパネル４１に表示する。また、ユーザがタッチパネル４１および操作ボタンに対して行う操作に応じた信号をＣＰＵ３２へ出力する。ＵＳＢインターフェース４２は、ＵＳＢレセプタクル４３に接続されたＵＳＢ対応の記憶媒体に対して、ＵＳＢ規格に沿ったデータの読み出しおよび書き込みを行う。ＵＳＢ対応の記憶媒体とは、例えば、ＵＳＢメモリなどである。ネットワークインターフェース４４は、例えば無線ＬＡＮ通信を行い、無線ＬＡＮに接続されている不図示のＰＣおよびサーバなどと通信を行う。
【００１８】
原稿センサは、ＡＤＦ２３の開口部に原稿が有るか否かを例えば所定時間毎に検出し、原稿が有る事を検出すると、原稿がセットされた事を示す検出信号をＣＰＵ３２へ出力する。第１シートセンサおよび第２シートセンサは、各々給紙トレイ１７，１８にあるシートの残枚数に応じた検出信号をＣＰＵ３２へ出力する。
【００１９】
印刷機能とは、例えば、ネットワークインターフェース４４を介して例えばＰＣから送信された印刷ジョブ、ＵＳＢインターフェース４２を介してＵＳＢメモリなどから読み出した記録データなどを画像形成部３７によりシートに印刷する機能である。コピー機能とは、例えば、画像読取部３８により生成された読取データを画像形成部３７によりシートに印刷する機能である。スキャン機能とは、例えば、画像読取部３８により生成された読取データを、ネットワークインターフェース４４を介して例えばＰＣ、サーバなどへ送信する、あるいは、ＵＳＢインターフェース４２を介してのＵＳＢメモリなどへの書込みする機能である。ＦＡＸ受信機能とは、ＦＡＸ通信部３９を介して受信したＦＡＸ受信データを画像形成部３７によりシートに印刷する、ネットワークインターフェース４４を介して例えばＰＣへ送信する、ＵＳＢインターフェース４２を介してＵＳＢメモリなどへ書き込む機能である。ＦＡＸ送信機能とは、例えば、画像読取部３８が生成した読取データ、ネットワークインターフェース４４を介して例えばＰＣから送信された送信データ、ＵＳＢインターフェース４２を介してＵＳＢメモリなどから読み出した記録データを、ＦＡＸ通信部３９を介して送信する機能である。
【００２０】
ショートカット情報３５１は、「ショートカット名」、「機能」、および複数の設定項目などの項目に対する値が１組の情報として構成された情報である。ＣＰＵ３２は、ユーザがタッチパネル４１に対して行う操作に応じて、ショートカット情報３５１を作成し、ＮＶＲＡＭ３５に記憶させる処理（「タッチパネルから受け付ける命令に応じて、画像処理部の制御に関わる複数の設定項目にそれぞれ対応させて、画像処理部の制御に用いられる情報をメモリに記憶させる処理」の一例、「ショートカット登録処理」の一例）を実行する。「ショートカット名」とは、ユーザがショートカットを判別するために付与する名前である。「機能」とは、上記した、印刷機能、コピー機能、スキャン機能、ＦＡＸ送信機能、ＦＡＸ受信機能などである。複数の設定項目は、具体的には、「サイズ」、「品質」、「色」などがあり、「機能」の値によって、具体的な項目は異なる。例えば、「機能」の値が（コピー）であれば、「出力サイズ」、「品質」、「色」の他に、「コピー枚数」、「両面印刷」などが設定項目となる。また、例えば、「機能」の値が（スキャン）であれば、「読み取りサイズ」、「品質」、「色」の他に、「拡大縮小」などが設定項目となる。尚、変更回数カウンタ値３５３は、「ショートカット名」および「カウント値」の項目に対する値が１組の情報として構成され情報であり、当該「ショートカット名」はショートカット情報３５１の「ショートカット名」に関連づけられている。ショートカット情報３５１の１組の情報が作成された際に、対応する変更回数カウンタ値３５３の「カウント値」の値は初期値にセットされる。
【００２１】
ここで、ショートカット情報３５１には８組の情報が含まれているものとする。８組の情報の「ショートカット名」の値は、（Ａ４原稿カラーコピー）（１００枚モノクロコピー）（○○様へＦＡＸ）（カラー原稿スキャン）（ＵＳＢへ原稿スキャン）（両面コピー高画質）（ＵＳＢから印刷）（受信ＦＡＸ印刷）である。
【００２２】
（Ａ４原稿カラーコピー）のショートカットは「機能」の値が（コピー）、「出力サイズ」の値が（Ａ４）、「品質」の値が（きれい）、「色」の値が（カラー）、「コピー枚数」の値が（１枚）、「両面印刷」の値が（あり）である。
（１００枚モノクロコピー）のショートカットは「機能」の値が（コピー）、「出力サイズ」の値が（Ｂ５）、「品質」の値が（ふつう）、「色」の値が（モノクロ）、「コピー枚数」の値が（１００枚）、「両面印刷」の値が（なし）である。
（○○様へＦＡＸ）のショートカットは「機能」の値が（ＦＡＸ送信）、「送信先」の値が（○○様）である。
（カラー原稿スキャン）のショートカットは「機能」の値が（スキャン）、「読み取りサイズ」の値が（Ａ４）、「品質」の値が（きれい）、「色」の値が（カラー）、「拡大縮小」の値が（なし）、「出力先」の値が（サーバ）である。
（ＵＳＢへ原稿スキャン）のショートカットは「機能」の値が（スキャン）、「読み取りサイズ」の値が（Ａ４）、「品質」の値が（きれい）、「色」の値が（カラー）、「拡大縮小」の値が（なし）、「出力先」の値が（ＵＳＢメモリ）である。
（両面コピー高画質）のショートカットは「機能」の値が（コピー）、「出力サイズ」の値が（Ｂ５）、「品質」の値が（きれい）、「色」の値が（カラー）、「コピー枚数」の値が（１枚）、「両面印刷」の値が（あり）である。
（ＵＳＢから印刷）のショートカットは「機能」の値が（印刷）「読み出し先」の値が（ＵＳＢメモリ）である。
（受信ＦＡＸ印刷）のショートカットは「機能」の値が（ＦＡＸ受信）「出力」の値が（印刷）である。
【００２３】
＜ショートカット生成処理＞
次に、ＣＰＵ３２が実行するショートカット生成処理について、図３，５を用いて説明する。ＣＰＵ３２は、ＭＦＰ１０の電源がＯＮされると、ショートカット生成処理を開始する。まず、ＣＰＵ３２は、図５に示すメインメニュー画面Ｄ１をタッチパネル４１に表示するようにユーザインターフェース４０に指示する。メインメニュー画面Ｄ１では領域Ｄ１１に「コピー」ボタン、「スキャン」ボタン、および「ＦＡＸ」ボタンが表示される。また、「ショートカット」ボタンＤ１２が表示される。ユーザは、ボタンを選択することによって、選択したボタンに対応する機能を実行させることができる。尚、ユーザが「ショートカット」ボタンＤ１２を選択した場合には、ショートカット情報３５１に含まれるショートカットの一覧が表示される。ここでは、ユーザはボタンの選択は行わずに、コピーするためにＡＤＦ２３に原稿をセットしたものとする。
【００２４】
ＣＰＵ３２は、所定時間毎に、原稿センサから出力される検出信号を受信したかを確認し、原稿センサからの検出信号を受信すると（図３、Ｓ１）、検出信号に基づいて、ショートカット情報３５１に含まれる情報のうち、表示すべきショートカットを判別する（Ｓ３）。検出信号は、原稿センサから出力されたものであるため、画像読取部３８の動作を要するショートカットを判別する。具体的には、（Ａ４原稿カラーコピー）（１００枚モノクロコピー）（○○様へＦＡＸ）（カラー原稿スキャン）（ＵＳＢへ原稿スキャン）（両面コピー高画質）が、画像読取部３８の動作を要するショートカットであると判別する。
【００２５】
次に、ＣＰＵ３２はショートカット情報３５１に含まれる複数の設定項目から、特定の設定項目を抽出する（Ｓ５）。ここで、ＭＦＰ１０は第１シートセンサおよび第２シートセンサを備えているため、複数の設定項目から、「出力サイズ」を特定の設定項目として抽出する。次に、ＣＰＵ３２はショートカットをエラーなく実行できるか否かを判断するために、「出力サイズ」のシートがあるか否かを判断する。まず、第１シートセンサの検出信号により、給紙トレイ１７にＡ４サイズのシートがあるか否かを判断する（Ｓ７）。Ａ４サイズのシートがあると判断することに応じて（Ｓ７：ＹＥＳ）、次に、第２シートセンサの検出信号により、給紙トレイ１８にＢ５サイズのシートがあるか否かを判断する（Ｓ８）。Ｂ５サイズのシートがあると判断することに応じて（Ｓ８：ＹＥＳ）、ステップＳ３で判別したショートカットはすべて実行可能であることを示す表示情報をＲＡＭ３３に記憶し（Ｓ１２）、ステップＳ９へ進む。一方、Ｂ５サイズのシートがないと判断することに応じて（Ｓ８：ＮＯ）、「出力サイズ」の値が（Ａ４）のショートカットは実行可能であり、「出力サイズ」の値が（Ｂ５）のショートカットは実行不可能であることを示す表示情報をＲＡＭ３３に記憶し（Ｓ１０）、ステップＳ９へ進む。
【００２６】
一方、Ａ４のシートがないと判断することに応じて（Ｓ７：ＮＯ）、次に、ＣＰＵ３２は第２シートセンサの検出信号により、給紙トレイ１８にＢ５サイズのシートがあるか否かを判断する（Ｓ１１）。Ｂ５サイズのシートがあると判断することに応じて（Ｓ１１：ＹＥＳ）、「出力サイズ」の値が（Ａ４）のショートカットは実行不可能であり、「出力サイズ」の値が（Ｂ５）のショートカットは実行可能であることを示す表示情報をＲＡＭ３３に記憶し（Ｓ１３）、ステップＳ９へ進む。一方、Ｂ５サイズのシートがないと判断することに応じて（Ｓ１１：ＮＯ）、ステップＳ３で判別したショートカットはすべて実行不可能であることを示す表示情報をＲＡＭ３３に記憶し（Ｓ１５）、ステップＳ９へ進む。ステップＳ９では、ＣＰＵ３２はＲＡＭ３３が記憶している表示情報に基づいて、タッチパネル４１に表示するためのＵＩ（User Interface）画面データを生成し、ユーザインターフェース４０へ送信し（Ｓ９）、処理を終了する。ユーザインターフェース４０はＵＩ画面データを受信すると、タッチパネル４１にＵＩ画面データに基づいた画面を表示する。
【００２７】
例えば、ステップＳ１５を実行した場合には、ＣＰＵ３２は、図５に示すショートカット選択画面Ｄ２を表示するためのＵＩ画面データを生成する。ステップＳ１５の場合とは、Ａ４サイズのシートおよびＢ５サイズのシートが無い場合であるので、ショートカット選択画面Ｄ２では「機能」の値が（コピー）であるショートカットである（Ａ４原稿カラーコピー）（１００枚モノクロコピー）（両面コピー高画質）の各々に対応するボタンＤ２１，Ｄ２２，Ｄ２６が選択不可能であることを明示するための灰色での表示である、所謂グレーアウト表示される。また、シートが無くでも実行可能なショートカットである、（○○様へＦＡＸ）（カラー原稿スキャン）（ＵＳＢへ原稿スキャン）（両面コピー高画質）の各々に対応するボタンＤ２３，Ｄ２４，Ｄ２５が選択可能であることを明示するために黒色で表示される。また、「メインメニュー」ボタンＤ２７が表示される。
【００２８】
また、例えば、ステップＳ１３を実行した場合には、ＣＰＵ３２は、図５に示すショートカット選択画面Ｄ３を表示するためのＵＩ画面データを生成する。ステップＳ１３の場合とは、Ａ４サイズのシートが無く、Ｂ５サイズのシートが有る場合であるので、ショートカット選択画面Ｄ３では「機能」の値が（コピー）であるショートカットのうち、「出力サイズ」の値が（Ａ４）である（Ａ４原稿カラーコピー）に対応するボタンＤ３１に差分マークＤ３１１が付加されて表示される。差分マークＤ３１１は、ここでは、差分マークＤ３１１を、エクスクラメーションマークとしている。また、「機能」の値が（コピー）であるショートカットのうち、「出力サイズ」の値が（Ｂ５）である（１００枚モノクロコピー）（両面コピー高画質）に対応するボタンであるボタンＤ３２，Ｄ３６が黒色で表示される。また、シートが無くでも実行可能なショートカットである、（○○様へＦＡＸ）（カラー原稿スキャン）（ＵＳＢへ原稿スキャン）の各々に対応するボタンＤ３３，Ｄ３４，Ｄ３５が黒色で表示される。また、「メインメニュー」ボタンＤ３７が表示される。
【００２９】
差分マークＤ３１１は、対象のショートカットに関するショートカット情報３５１の値の一部を変更すれば、対象のショートカットを実行できることを示すマークである。ここでは、対象のショートカットである（Ａ４原稿カラーコピー）の「出力サイズ」の値を（Ａ４）から（Ｂ５）へ変更すれば、ショートカットを実行することができるため、ＣＰＵ３２は（Ａ４原稿カラーコピー）に対応するボタンＤ３１に差分マークＤ３１１を付加したＵＩ画面データを作成する。これにより、ユーザは、予め設定していた「出力サイズ」でのコピーはできないものの、値を変更すればコピーできることを認識することができる。
【００３０】
次に、「出力サイズ」の値を変更して、Ｂ５サイズでのコピーをしたいユーザが、ボタンＤ３１を選択した場合に、ＣＰＵ３２が実行するショートカット実行処理について、図４，５を用いて説明する。
【００３１】
ＣＰＵ３２は、差分マークありのボタンであるボタンＤ３１が選択されると、図４に示すショートカット実行処理を開始する。まず、ＣＰＵ３２は、図５に示す変更ＵＩ画面Ｄ４を表示するための変更ＵＩ画面データを生成し、ユーザインターフェース４０へ出力する（Ｓ２３）。ユーザインターフェース４０は、変更ＵＩ画面データを受信すると、変更ＵＩ画面を表示する。変更ＵＩ画面Ｄ４では、領域Ｄ４１に「下記項目を変更して実行しますか？」および「出力用紙サイズ：Ａ４→Ｂ５」のメッセージとともに、「変更して実行」ボタンおよび「キャンセル」ボタンが表示される。また、変更ＵＩ画面Ｄ４の右下には「メインメニュー」ボタンＤ４２が表示される。
【００３２】
次に、ＣＰＵ３２は「変更して実行」ボタンが選択されたか否かを判断する（Ｓ２５）。所定時間以内に「変更して実行」ボタンが選択された場合、「変更して実行」ボタンが選択されたとＣＰＵ３２は判断する（Ｓ２５：ＹＥＳ）。ＣＰＵ３２は「変更して実行」ボタンが選択されたと判断すると（Ｓ２５：ＹＥＳ）、「出力サイズ」の値をＢ５に変更して、ショートカットを実行し（Ｓ２７）、処理を終了する。ショートカットを実行するとは、詳しくは、ＣＰＵ３２が「出力サイズ」の値を（Ｂ５）として、その他の項目の値はショートカット情報３５１に含まれる（Ａ４原稿カラーコピー）に関する値として、画像読取部３８が生成した読取データを画像形成部３７に画像形成させる処理を実行することである。ユーザは、変更ＵＩ画面Ｄ４を選択することで、予め登録していたショートカット情報３５１の「出力サイズ」のみを変更して、コピーを実行させることができる。コピーに関わる複数の項目のすべてを設定し直すよりも簡易にコピーを実行させることができる。
【００３３】
一方、「変更して実行」ボタンが選択されなかったと判断すると（Ｓ２５：ＮＯ）、ユーザにショートカットを再度選択させるため、ＣＰＵ３２はユーザインターフェース４０にショートカット選択画面Ｄ３（図５）への復帰を指示し（Ｓ３１）、処理を終了する。
【００３４】
次に、ショートカット更新処理について図６、７を用いて説明する。ＣＰＵ３２は、ショートカット実行処理のステップＳ２７を実行すると、実行したショートカットを対象として、ショートカット更新処理を開始する。まず、ＣＰＵ３２は値を変更してのショートカットを実行した回数が所定数以上であるか否かを、変更回数カウンタ値３５３に基づき判断する（Ｓ６３）。変更回数カウンタ値３５３の対応する「カウント値」の値が所定数以上であると判断すると（Ｓ６３：ＹＥＳ）、図７に示す更新ＵＩ画面Ｄ５を表示するためのＵＩ画面データを生成し、ユーザインターフェース４０へ出力する（Ｓ６５）。ユーザインターフェース４０はＵＩ画面データを受信すると、更新ＵＩ画面Ｄ５をタッチパネル４１に表示する。更新ＵＩ画面Ｄ５では、「「Ａ４原稿カラーコピー」の設定を更新しますか？」および「出力用紙サイズ：Ａ４→Ｂ５」のメッセージとともに、「変更する」ボタンおよび「変更しない」ボタンが表示される。
【００３５】
次に、「変更する」ボタンが選択されたか否かを判断する（Ｓ６７）。ＣＰＵ３２は、所定時間以内に「変更する」ボタンが選択された場合、「変更する」ボタンが選択されたと判断する（Ｓ６７：ＹＥＳ）。「変更する」ボタンが選択されたと判断すると（Ｓ６７：ＹＥＳ）、変更内容を内部メモリであるＲＡＭ３３に保存する（Ｓ６９）。詳しくは、「出力サイズ」の値が（Ｂ５）であることを示す情報をＲＡＭ３３に記憶させる。次に、変更回数カウンタ値３５３の対応する「カウント値」の値をリセットする（Ｓ７１）。次に、図７に示すショートカット名変更ＵＩ画面Ｄ６を表示するためのＵＩ画面データを生成し、ユーザインターフェース４０へ出力する（Ｓ７３）。ユーザインターフェース４０は、ＵＩ画面データを受信すると、ショートカット名変更ＵＩ画面Ｄ６をタッチパネル４１に表示する。ショートカット名変更ＵＩ画面Ｄ６では、「「Ａ４原稿カラーコピー」のショートカット名を更新しますか？」のメッセージと、テキストボックスＤ６１と、「変更する」ボタンおよび「変更しない」ボタンとが表示される。図７では、テキストボックスＤ６１にショートカット情報３５１での「ショートカット名」の値である（Ａ４原稿カラーコピー）を予め入力して表示している例を示している。「ショートカット名」の値を変更したいユーザは、タッチパネル４１などを操作して、テキストボックスＤ６１に例えば「Ｂ５原稿カラーコピー」と入力した後、「変更する」ボタンを選択する。
【００３６】
次に、ＣＰＵ３２は「変更する」ボタンが選択されたか否かを判断する（Ｓ７５）。ＣＰＵ３２は、所定時間以内に「変更する」ボタンが選択された場合、「変更する」ボタンが選択されたと判断する（Ｓ７５：ＹＥＳ）。「変更する」ボタンが選択されたと判断すると（Ｓ７５：ＹＥＳ）、対象のショートカットに関わる「ショートカット名」の値をテキストボックスＤ６１に入力された値として、ステップＳ６９で記憶させた情報により「出力サイズ」の値を（Ｂ５）として、ショートカット情報３５１を更新し（Ｓ７７）、処理を終了する。一方、「変更する」ボタンが選択されなかったと判断すると（Ｓ７５：ＮＯ）、対象のショートカットに関わる「出力サイズ」の値を（Ｂ５）としてショートカット情報３５１を更新し、「ショートカット名」の値は更新せずに（Ｓ７９）、処理を終了する。ユーザは、頻繁に変更して使用するショートカットに関して、頻繁に使用する値へショートカット情報３５１を簡易に更新することができる。
【００３７】
一方、変更回数カウンタ値３５３の対応する「カウント値」の値が所定数以上でないと判断すると（Ｓ６３：ＮＯ）、変更回数カウンタ値３５３の対応する「カウント値」の値をインクリメントして（Ｓ８１）、ステップＳ８３へ進む。また、更新ＵＩ画面Ｄ５の「変更する」ボタンが選択されていないと判断すると（Ｓ６７：ＮＯ）、ステップＳ８３へ進む。ステップＳ８３では、ＣＰＵ３２は、ユーザインターフェース４０にメインメニュー画面Ｄ１（図５）を表示するように指示して、処理を終了する。
【００３８】
ここで、ＭＦＰ１０は画像処理装置の一例であり、画像形成部３７、画像読取部３８、およびＦＡＸ通信部３９は画像処理部の一例であり、ＮＶＲＡＭ３５はメモリの一例である。また、ステップＳ９は「ショートカットをタッチパネルに表示する処理」の一例であり、ステップＳ５，Ｓ７，Ｓ８，Ｓ１０，Ｓ１１，Ｓ１２，Ｓ１３，Ｓ１５は、抽出処理の一例であり、ステップＳ２３は「抽出した特定の設定項目に対応させてメモリに記憶させている情報と異なる情報である変更情報を用いるか否かを、選択するように促す画面をタッチパネルに表示する処理」の一例であり、ステップＳ２７は制御処理の一例である。また、第１シートセンサおよび第２シートセンサは検出器の一例であり、給紙トレイ１７，１８はシート支持部の一例である。
【００３９】
以上、説明した第１実施形態によれば、以下の効果を奏する。
（１）ユーザはショートカット情報３５１にて予め設定されている、ショートカット名が（Ａ４カラーコピー）であるショートカットの項目のうち、特定の設定項目である「出力サイズ」の値を、変更ＵＩ画面Ｄ４にてシートが無い（Ａ４）サイズのシートから、シートが有る（Ｂ５）サイズのシートへ変更して、簡易にコピーを実行させることができる。
【００４０】
（４）（５）ＣＰＵ３２は、ステップＳ５において、ショートカットに関わる項目のうち、第１シートセンサおよび第２シートセンサを用いて、項目に対する値の状態を検出することができる項目である「出力サイズ」を特定の設定項目として抽出する。また、ステップＳ７，Ｓ８，Ｓ１１において、第１シートセンサおよび第２シートセンサの検出信号により、「出力サイズ」の値でのショートカットがエラーなく実行できるか否かを判断する。これにより、ＣＰＵ３２は、給紙トレイ１７，１８に無いシートのサイズが、ショートカット情報３５１の値となっているショートカットについて差分マークＤ３１１を付加して、ショートカット選択画面Ｄ３を表示させることができる。
【００４１】
（８）ＣＰＵ３２は「出力サイズ」の値である（Ａ４）サイズのシートが給紙トレイ１７に無い場合には、「出力サイズ」の値が（Ａ４）である（Ａ４原稿カラーコピー）に対応するボタンＤ３１に差分マークＤ３１１を付加して表示させる。これにより、ユーザは、特定の設定項目の値を変更してショートカットを実行できることを認識し易くなることができる。
【００４２】
（９）ショートカット更新処理において、ＣＰＵ３２は所定数以上変更して実行されたショートカットに関するショートカット情報３５１の値を更新する。これにより、ユーザは頻繁に値を変更するショートカットについて、簡易にショートカット情報３５１の値を更新し、更新されたショートカットを利用することができる。（１０）また、ショートカット更新処理のステップＳ７７において、ＣＰＵ３２は「ショートカット名」の値の更新を受付ける。これにより、ユーザは「ショートカット名」の値を最適な値に簡易に更新することができる。
【００４３】
［第２実施形態］
次に、図８を用いて、第２実施形態のショートカット生成実行処理について説明する。第２実施形態のＭＦＰ１０は第１シートセンサおよび第２シートセンサが無く、原稿センサは原稿のサイズも検出するものとする。詳しくは、原稿センサは、ＡＤＦ２３の開口部に原稿が有るか否かを例えば所定時間毎に検出し、原稿が有る場合には、Ａ４サイズもしくはＢ５サイズに応じた検出信号をＣＰＵ３２へ出力するものとする。その他の構成は、第１実施形態のＭＦＰ１０と同様であるため、説明を省略する。
【００４４】
ＣＰＵ３２は、ＭＦＰ１０の電源がＯＮされると、ショートカット生成実行処理を開始する。まず、ＣＰＵ３２は、図５に示すメインメニュー画面Ｄ１をタッチパネル４１に表示するようにユーザインターフェース４０に指示する。ここでは、ユーザはタッチパネル４１のボタンの選択は行わずに、スキャンするためにＡＤＦ２３にＢ５サイズの原稿をセットしたものとする。
【００４５】
ＣＰＵ３２は、所定時間毎に、原稿センサから出力される検出信号を受信したかを確認し、原稿センサからの検出信号を受信すると（図８、Ｓ４１）、検出信号に基づいて、ショートカット情報３５１に含まれる情報のうち、ステップＳ３と同様に、表示すべきショートカットを判別する（Ｓ４３）。次に、ＣＰＵ３２はショートカット情報３５１に含まれる複数の設定項目から、特定の設定項目を抽出する（Ｓ４５）。ここで、ＭＦＰ１０はサイズを検出可能な原稿センサを備えているため、複数の設定項目から、「読み取りサイズ」を特定の設定項目として抽出する。次に、ＣＰＵ３２は検出信号に基づき、原稿サイズはＢ５であるか否かを判断する（Ｓ４７）。原稿サイズはＢ５であると判断すると（Ｓ４７：ＹＥＳ）、「読み取りサイズ」の値が（Ａ４）のショートカットに差分マークを付加することを示す表示情報をＲＡＭ３３に記憶し（Ｓ４９）、ステップＳ５１へ進む。一方、原稿サイズはＢ５でないと判断すると（Ｓ４７：ＮＯ）、「読み取りサイズ」の値が（Ｂ５）のショートカットに差分マークを付加することを示す表示情報をＲＡＭ３３に記憶し（Ｓ５０）、ステップＳ５１へ進む。
【００４６】
ステップＳ５１では、ＣＰＵ３２はＲＡＭ３３が記憶している表示情報に基づいて、タッチパネル４１に表示するためのＵＩ画面データを生成し、ユーザインターフェース４０へ送信する（Ｓ５１）。ユーザインターフェース４０はＵＩ画面データを受信すると、タッチパネル４１にＵＩ画面データに基づいたＵＩ画面を表示する。ＵＩ画面では、ショートカット選択画面Ｄ３と同様に、各ショートカットに対応するボタンなどが表示される。また、表示情報に基づいて、該当するボタンに差分マークが付加して表示される。例えば、ステップＳ４９を実行した場合には、「読み取りサイズ」の値が（Ａ４）である（カラー原稿スキャン）および（ＵＳＢへ原稿スキャン）のショートカットに対応する「カラー原稿スキャン」ボタンおよび「ＵＳＢへ原稿スキャン」ボタンに差分マークが付加されて表示される。ここで、ユーザが、「カラー原稿スキャン」ボタンを選択したものとする。
【００４７】
ＣＰＵ３２は、「カラー原稿スキャン」ボタンが選択されると、変更ＵＩ画面データを生成し、ユーザインターフェース４０へ出力する（Ｓ５１）。ユーザインターフェース４０は、変更ＵＩ画面データを受信すると、変更ＵＩ画面を表示する。変更ＵＩ画面では、「下記項目を変更して実行しますか？」および「読み取りサイズ：Ａ４→Ｂ５」のメッセージとともに、「変更して実行」ボタンおよび「変更せずに実行」ボタンが表示される。尚、対象のショートカットの機能はスキャンであるため、「読み取りサイズ」の値が（Ａ４）のままでも、ＣＰＵ３２はショートカットをエラーなく実行することができると判断するため、「変更せずに実行」ボタンを表示させる。次に、ＣＰＵ３２は「変更して実行」ボタンが選択されたか否かを判断する（Ｓ５３）。所定時間以内に「変更して実行」ボタンが選択された場合、「変更して実行」ボタンが選択されたとＣＰＵ３２は判断する（Ｓ５３：ＹＥＳ）。ＣＰＵ３２は「変更して実行」ボタンが選択されたと判断すると（Ｓ５３：ＹＥＳ）、「読み取りサイズ」の値をＢ５に変更して、ショートカットを実行し（Ｓ５５）、処理を終了する。一方、「変更して実行」ボタンが選択されなかったと判断すると（Ｓ５３：ＮＯ）、「読み取りサイズ」の値をＡ４のまま、ショートカットを実行し（Ｓ５７）、処理を終了する。尚、「読み取りサイズ」の値をＢ５に変更して、ショートカットを実行するとは、詳しくは、ＣＰＵ３２が「読み取りサイズ」の値を（Ｂ５）として、その他の項目の値はショートカット情報３５１に含まれる（カラー原稿スキャン）に関する値として、画像読取部３８が生成した読取データをネットワークインターフェース４４に送信させる処理を実行することである。
【００４８】
ここで、原稿センサは検出器の一例であり、ＡＤＦ２３は原稿支持部の一例である。また、ステップＳ５１は「ショートカットをタッチパネルに表示する処理」の一例であり、ステップＳ４５，Ｓ４７，Ｓ４９，Ｓ５０は、抽出処理の一例であり、ステップＳ５１は「抽出した特定の設定項目に対応させてメモリに記憶させている情報を用いるか、抽出した特定の設定項目に対応させてメモリに記憶させている情報と異なる情報を用いるかを、選択するように促す画面をタッチパネルに表示する処理」の一例であり、ステップＳ５５は制御処理の一例である。
【００４９】
以上、説明した第２実施形態によれば、以下の効果を奏する。
（１）ユーザはショートカット情報３５１にて予め設定されている、ショートカット名が（カラー原稿スキャン）であるショートカットの項目のうち、特定の設定項目である「読み取りサイズ」の値を、変更ＵＩ画面にて（Ａ４）サイズから（Ｂ５）サイズへ変更して、簡易にスキャンを実行させることができる。
【００５０】
（２）（３）ＣＰＵ３２は、ステップＳ４５において、ショートカットに関わる項目のうち、原稿センサを用いて、項目に対する値を検出することができる項目である「読み取りサイズ」を特定の設定項目として抽出する。また、ステップＳ４７，Ｓ４９，Ｓ５０において、原稿センサの検出信号により、「原稿サイズ」の値と検出信号が検出したサイズが対応しているか否かを判断する。これにより、ＣＰＵ３２はＵＩ画面にて、「読み取りサイズ」の値が（Ｂ５）サイズである場合には、「読み取りサイズ」が（Ａ４）であるショートカット対応するボタンに差分マークを付加して表示させ、「読み取りサイズ」の値が（Ｂ５）サイズでない場合には、「読み取りサイズ」が（Ｂ５）であるショートカットに対応するボタンに差分マークを付加して表示させることができる。
［変形例］
【００５１】
尚、本発明は前記実施形態に限定されるものではなく、本発明の趣旨を逸脱しない範囲内での種々の改良、変更が可能であることは言うまでもない。
第１実施形態では、ステップＳ５にて、第１シートセンサおよび第２シートセンサを備えているため、「出力サイズ」を特定の設定項目とすると説明した。これに限定されず、ショートカット情報３５１の項目のうち、どれを特定の設定項目とするかを、例えばＮＶＲＡＭ３５などに、予め、記憶しておく構成としても良い。このようにすれば、ユーザは、ショートカットの実行の際に、都度、特定の設定項目の値を変更することができる。特に、センサを備えないＭＦＰの場合、センサを用いて検出することができない項目について、ショートカット情報３５１に設定されている値と所望の値とが合っているか否かをユーザは確認することができる。どれを特定の設定項目とするかをＭＦＰの出荷時に予め記憶しておく構成としても良いし、ユーザが設定できる構成としても良い。例えば、ＣＰＵ３２は、タッチパネル４１に「特定の設定項目を選択して下さい」のメッセージとともに、複数の設定項目に対応するボタンを表示する設定画面を表示させる設定受付処理を実行し、設定受付処理にて、ユーザに選択されたボタンに対応する項目を特定の設定項目としてＮＶＲＡＭ３５に記憶させる記憶処理を実行する構成とすると良い。このようにすれば、ユーザは、例えば、ショートカットキーを使用する際に確認したい設定項目について、特定の設定項目として自由に記憶させることができる。
【００５２】
また、第１実施形態では、「画像処理の実行が制限される」例として、コピーの際のシートの残枚数について説明したが、これに限定されない。例えば、ＭＦＰがトナー収容室のトナー残量を検出するトナーセンサを備える構成の場合には、トナーの残量が少なく、例えばコピーなどの印刷が制限される場合には、例えば「コピー枚数」を特定の設定項目としても良い。また、例えばブラック以外のトナーの残量は多く、ブラックのトナーの残量が少ない場合などに「色」を特定の設定項目として、（カラー）と（モノクロ）との何れかを判断して差分マークを表示する構成としても良い。また、供給される電力が制限されている場合などに、「画質」を特定の設定項目としても良い。また、ＵＳＢメモリが装着されていない場合などに、「出力先」を特定の設定項目としても良い。
【００５３】
また、ステップＳ１は、ＡＤＦ２３における検出に基づく処理であると説明したが、原稿台における検出に基づく処理でも良く、両方を検出する構成としても良い。
【００５４】
また、第１実施形態では第１シートセンサおよび第２シートセンサを備える構成、第２実施形態では原稿センサを備える構成について説明したが、これに限定されない。ＭＦＰが複数のセンサを備える場合には、検出可能なすべての項目を特定の設定項目として抽出しても良いし、特定の項目だけを抽出しても良い。
【００５５】
また、ショートカット選択画面Ｄ３では、異なる表示態様の一例として差分マークが表示されると説明したが、これに限定されない。例えば、異なる色での表示としても良いし、点滅表示などとしても良い。
【００５６】
また、変更ＵＩ画面Ｄ４にて、「変更して実行」ボタンが選択されると、ショートカットを実行すると説明したが、「変更して実行」ボタンが選択された後、さらに、例えば操作ボタン（例えばスタートボタンなど）が押下されてからショートカットを実行する構成としても良い。
【００５７】
また、ショートカット選択画面Ｄ２にて、ボタンＤ２１，Ｄ２２，Ｄ２６はグレーアウト表示されると説明したが、表示様態を限定するものではない。例えば、ボタンＤ２１，Ｄ２２，Ｄ２６の上にバツ印を重ねて表示させても良い。
【００５８】
また、ＣＰＰ３２を備える場合を例に説明したが、これに限定されるものではない。複数のＣＰＵを備えてもよいし、複数のＡＳＩＣ（Application Specific Integrated Circuit）によって構成されても良い。さらに、ＣＰＵとＡＳＩＣとの任意の組み合わせによって構成されても良い。
【００５９】
また、ＭＦＰ１０は、電子写真方式により印刷すると説明したが、その他の、例えばインクジェット方式での印刷を行う画像処理装置にも適用することができる。また、ＭＦＰ１０は、印刷機能、コピー機能、スキャナ機能などを備える複合機であると説明したが、これに限定されず、少なくとも何れか一つの機能を備える画像処理装置にも適用することができる。
【符号の説明】
【００６０】
１０  ＭＦＰ
１１  筐体
３２  ＣＰＵ
３３  ＲＡＭ
３４  ＲＯＭ
３５  ＮＶＲＡＭ
３７  画像形成部
３８  画像読取部
３９  ＦＡＸ通信部
４１  タッチパネル
５０  センサ
【図１】
2018034394.tif 000003
【図２】
2018034394.tif 000004
【図３】
2018034394.tif 000005
【図４】
2018034394.tif 000006
【図５】
2018034394.tif 000007
【図６】
2018034394.tif 000008
【図７】
2018034394.tif 000009
【図８】
2018034394.tif 000010